(57)【要約】【課題】  既存のスパナ等の工具を利用して、種々の外形の丸ナットの脱着を行なうことができるようにした、丸ナット用工具のアダプタを提供する。【解決手段】  棒状の本体１１の長手方向一端側に装着した安定部材１２を有し、本体の断面を方形状に形成し、本体の一側の側面に丸ナットの引掛溝内に係合する引掛爪１１ａを備え、安定部材が本体の引掛爪と同じ側に突出する凸部１２ｂを有し、凸部が丸ナットに当接する傾斜面１２ｂ１を備え、本体の引掛爪を丸ナットの引掛溝内に係合すると共に、本体の一側の側面及び安定部材の傾斜面を丸ナットの外周面に当接した状態で、本体及び丸ナットをスパナ等の工具で挟持して工具を回動して丸ナットを回転させる。【選択図】  図１
2006224232.tif 000002
【特許請求の範囲】
【請求項１】
棒状の本体と、該本体の長手方向一端側に装着される安定部材と、を含んでおり、
上記本体の一側に丸ナットの引掛溝に係合する引掛爪を設け、
上記安定部材に上記本体の引掛爪と同じ側に突出する凸部を形成すると共に、該凸部に上記丸ナットに当接する傾斜面を形成し、
上記本体の引掛爪を上記丸ナットの引掛溝に係合し、且つ、上記安定部材の傾斜面を上記丸ナットの外周面に当接した状態で、上記本体及び丸ナットをスパナ等の工具に挟持して該工具を回動することで、上記丸ナットを回転させることを特徴とする、丸ナット用工具のアダプタ。
【請求項２】
前記安定部材が、前記本体の長手方向に対して摺動可能に装着されていることを特徴とする、請求項１に記載の丸ナット用工具のアダプタ。
【請求項３】
前記本体の長手方向一端に、前記安定部材の脱落防止のためのストッパが設けられていることを特徴とする、請求項２に記載の丸ナット用工具のアダプタ。
【請求項４】
前記本体の他側に磁石が埋め込まれていることを特徴とする、請求項１〜３の何れかに記載の丸ナット用工具のアダプタ。
【発明の詳細な説明】
【技術分野】
【０００１】
本発明は、例えば軸受ナット等に使用される、所謂丸ナットを脱着するための工具に係り、具体的には、工具に取り付けて、丸ナットを簡単に脱着するためのアダプタに関するものである。
【背景技術】
【０００２】
従来、上述した丸ナットの脱着作業を行なう場合、図１３に示すように専用工具としての引掛けスパナとも呼ばれる所謂Ｃスパナ１が使用される。そしてＣスパナ１の先端の凸部１ａを丸ナット２の周面に形成した引掛溝２ａに係合させて、Ｃスパナ１を大きく矢印Ａで示すように回動させることにより、丸ナット２を同様に矢印Ａ方向に回転させて、この丸ナット２が締め付けられ（または緩められ）るようになっている。
【０００３】
そして、上述したＣスパナ１は、丸ナット２の種々の径に対応して、各径毎に専用品が用意されている。
従って、種々の径を有する丸ナット２の脱着を行なう必要がある例えば自動車の修理工場等の工場では、各径のＣスパナ１が用意されており、種々の径の丸ナット２の脱着を行なうことができるようになっている。
【０００４】
これに対して、特許文献１においては、種々の外径の丸ナット２の脱着を行なうことができるようにしたＣスパナが開示されている。このＣスパナは、半円形の頭部の端部に係合ピンを備えると共に、この係合ピンと対向する位置に、丸ナット２の周面に当接するように突出して、揺動可能に支持された当接部材を備えている。
これにより、上記係合ピンを丸ナットの引掛溝に係合させると共に、上記当接部材を丸ナットの周面に当接させることにより、この当接部材が揺動可能であることから、種々の径の丸ナットに対して、上記当接部材がその周面に密着する。従って、一つのＣスパナを用意しておくことにより、種々の径の丸ナットの脱着が可能になっている。
【０００５】
また、特許文献２においては、通常のスパナ等を使用して丸ナット２の脱着を行なうことができるようにしたアダプタナット用締付具が開示されている。このアダプタナット用締付具は、内周面が脱着すべき丸ナットの外形に対応して形成されており、外周面が通常の六角形に形成されている。これにより、このアダプタナット用締付具を丸ナットに被嵌して、上記アダプタナット用締付具を、通常の六角レンチやスパナ等を使用して回動させることにより、上記丸ナットの脱着が可能になっている。
【特許文献１】実開昭５９−２４２６７号
【特許文献２】実開昭６２−６５１６９号
【発明の開示】
【発明が解決しようとする課題】
【０００６】
ところで、例えば自動車や機械装置等においては、このような丸ナットが使用されている部位は極めて限られている。このため、上述したＣスパナは、使用頻度が非常に少なく、またその大きさが比較的大きいことから、例えば携帯用の工具箱等には収容されていない。
従って、突発的に、例えば路上等で自動車が故障したり、納入先の機械装置が故障した場合など、このような丸ナットの脱着が必要になった場合には、応急的に、マイナスドライバーや貫通ドライバーを使用して、その先端を丸ナットの引掛溝内にたたき込むようにして、丸ナットの脱着を行なうようにしている。
このため、場合によっては、丸ナットあるいはその引掛溝を傷つけたり壊してしまい、修理や復旧に要する時間が長くなってしまうことがある。
【０００７】
これに対して、特許文献１によるＣスパナの場合には、種々の外形の丸ナットの脱着を行なうことができるため、一つのＣスパナを用意しておけばよいが、それ自体比較的大きく且つ重いことから、携帯用工具箱に収容しておくためには不適である。
また、特許文献２によるアダプタナット用締付具の場合には、大きく重いＣスパナが不要であり、例えば通常一般的に携帯用工具箱内に収容されているスパナ，六角レンチ，ボックスレンチ等を利用して、丸ナットの脱着を行なうことができるが、一つのアダプタナット用締付具は、その内周面が一種類の外形の丸ナットに対応していることから、種々の外形の丸ナットの脱着を行なうためには、種々の外形の丸ナットに対応した複数個のアダプタナット用締付具を用意する必要がある。従って、これら複数個のアダプタナット用締付具を携帯用工具箱内に収容すると、工具箱内の限られたスペースの一部を占有することになると共に、工具箱全体が重くなってしまうことになる。
【０００８】
本発明は、以上の点にかんがみて、既存のスパナ等の工具を利用して、種々の外形の丸ナットの脱着を行なうことができるようにした、丸ナット用工具のアダプタを提供することを目的としている。
【課題を解決するための手段】
【０００９】
上記目的を達成するために、本発明の丸ナット用工具のアダプタは、棒状の本体と、該本体の長手方向一端側に装着される安定部材と、を含んでおり、本体の一側には丸ナットの引掛溝に係合する引掛爪を設け、上記安定部材には本体の引掛爪と同じ側に突出する凸部を形成すると共に、該凸部に丸ナットに当接する傾斜面を形成し、
本体の引掛爪を丸ナットの引掛溝に係合し、且つ、安定部材の傾斜面を丸ナットの外周面に当接した状態で、本体及び丸ナットをスパナ等の工具に挟持して該工具を回動することで、丸ナットを回転させることを特徴とするものである。
【００１０】
本発明による丸ナット用工具のアダプタは、好ましくは、前記安定部材が、前記本体の長手方向に対して摺動可能に装着されている。
【００１１】
本発明による丸ナット用工具のアダプタは、好ましくは、上記本体の長手方向一端に、上記安定部材の脱落防止のためのストッパが設けられている。
【００１２】
本発明による丸ナット用工具のアダプタは、好ましくは、上記本体の他側の側面に埋め込まれた磁石を備えている。
【発明の効果】
【００１３】
上記構成によれば、本体に安定部材を装着した状態にて、本体の一側の側面に備えられた引掛爪を丸ナットの外周面に設けられた引掛溝内に係合させると共に、本体の一側の側面及び安定部材の傾斜面を脱着すべき丸ナットの外周面に当接させて、セットする。そして、このセット状態から、本体の他側の側面と丸ナットの反対側の外周面とをスパナ等の工具で挟持しながら、本体及び安定部材そして丸ナットを、上記引掛爪を安定部材側に向かって移動させるように揺動させる。これにより、丸ナットを回転して、これを締め付けあるいは緩めることになる。
【００１４】
この場合、本発明による丸ナット用工具のアダプタは、従来のＣスパナのような比較的大型の工具ではなく、小型に構成され得るので、携帯用工具箱内に収容することができ、突発時であっても、上記アダプタとスパナ等の工具を使用することによって、丸ナットを傷つけることなく、丸ナットの脱着を確実に行なうことができる。
【００１５】
上記安定部材が、本体の長手方向に対して摺動可能に装着されている場合には、上記本体の長手方向に対して安定部材を摺動させることにより、丸ナットの種々の外径に合わせて、安定部材の傾斜面を丸ナットの外周面に当接させることができる。これにより、一つの丸ナット用工具のアダプタを用意しておくことによって、種々の外径の丸ナットに対して、安定部材の傾斜面を確実に当接させることができるので、携帯用工具箱に容易にそして省スペースで収容することができる。
【００１６】
上記本体の長手方向一端に、安定部材の脱落防止のためのストッパが設けられている場合には、安定部材が本体から不用意に脱落してしまうことがないので、例えば、携帯用工具箱内に収容した状態で、安定部材が本体から外れてしまうことがなく、また外れた安定部材を探す必要もなく、容易に丸ナット用工具のアダプタを取り出すことができる。
【００１７】
上記本体の他側に磁石が埋め込まれている場合には、丸ナット用工具のアダプタを丸ナットにセットした状態にて、スパナ等の工具でアダプタの本体の他側の側面と丸ナットの反対側の外周面を挟持する際に、アダプタの本体の他側に埋め込まれた磁石が、工具の挟持面を吸着保持する。従って、工具によって容易にアダプタの本体の他側と丸ナットの反対側の外周面を挟持することができる。
【００１８】
このようにして、本発明によれば、従来特殊な工具が必要であった丸ナットの脱着に関して小型のアダプタを用意しておくことにより、一般的な工具であるスパナ、特にモンキースパナを利用して、容易に丸ナットの脱着を行なうことができる。
【発明を実施するための最良の形態】
【００１９】
以下、図面に示した実施形態に基づいて本発明を詳細に説明する。
図１及び図２は本発明による丸ナット用工具のアダプタの一実施形態を示している。図１及び図２において、丸ナット用工具のアダプタ（以下、アダプタと称す）１０は、本体１１と、この本体１１に対して本体の長手方向に摺動可能に装着された安定部材１２と、から構成されている。
【００２０】
本体１１は断面を例えば方形状に形成され、さらに全体的に細長く、即ち棒状に形成されており、図３に示すように、その中央付近の一側に、丸ナットの引掛溝内に係合されるべき引掛爪１１ａを備えている。また、本体１１は、その一端、即ち図３にて左端側にて、引掛爪１１ａを設けた面と反対側の面に、安定部材１２が装着され摺動し得るように切欠部１１ｂを備えていると共に、一端に安定部材１２の脱落を防止するためのストッパ１１ｃを備えている。
【００２１】
安定部材１２は、本体１１の外形に沿った内壁を有し、本実施例では本体１１の方形状にほぼ一致するよう、図４に示すような断面コ字形に形成されており、その開放端が本体１１の一側の側面に対して切欠部１１ｂの領域で引掛爪１１ａの側から挿入されると共に、その開放端が脱落防止板１２ａにより閉じられて、安定部材１２及び脱落防止板１２ａにより本体１１を両側から挟持して、切欠部１１ｂの領域にて本体１１の長手方向に摺動可能に装着されている。
【００２２】
安定部材１２はさらにその閉鎖端が一側の方向に突出した凸部１２ｂを備え、凸部１２ｂは丸ナットの外周面に当接する傾斜面１２ｂ１を備えている。この傾斜面１２ｂ１は、引掛爪１１ａに近づくに従って本体側に近づくスロープとして形成されている。
【００２３】
本発明の実施形態に係るアダプタ１０は以上のように構成されており、通常の右ネジを有する丸ナットを締め付ける場合、図５に示すようにまずアダプタ１０の本体１１の引掛爪１１ａを丸ナット２０の引掛溝２１内に係合させると共に、安定部材１２を本体１１の長手方向に摺動させて、その傾斜面１２ｂ１が、丸ナット２０の引掛溝２１から丸ナット２０を回動すべき方向にて、その外周面に当接するように調整して、アダプタ１０を丸ナット２０に対してセットする。
【００２４】
このセット状態から、図６に示すようにモンキースパナ３０を使用して、その口開き量を調整し、アダプタ１０の本体１１の他側の側面と丸ナット２０の反対側の外周面とを挟持する。
そして、モンキースパナ３０を矢印Ｂ方向に回動させると、本体１１が同様に矢印Ｂ方向に回動する。その際、本体１１の回動方向にて安定部材１２が丸ナット２０の外周面に当接しているので、本体１１は、丸ナット２０の外周面に対してずれることなく、その引掛爪１１ａが丸ナット２０の引掛溝２１内に確実に係合する。従って、本体１１の回動に伴って、丸ナット２０が確実に矢印Ｂ方向に回転し、丸ナット２０が締め付けられる。
【００２５】
これに対して、同様に通常の右ネジを有する丸ナットを緩める場合には、図７に示すように、まずアダプタ１０の本体１１の引掛爪１１ａを丸ナット２０の引掛溝２１内に係合させると共に、安定部材１２を本体１１の長手方向に摺動させて、その傾斜面１２ｂ１が、丸ナット２０の上記引掛溝２１から丸ナット２０を回動すべき方向、即ち、締付けの場合と逆方向にて、その外周面に当接するように調整してアダプタ１０を丸ナット２０に対してセットする。
【００２６】
このセット状態から、図８に示すように、モンキースパナ３０を使用して、その口開き量を調整し、アダプタ１０の本体１１の他側の側面と丸ナット２０の反対側の外周面とを挟持する。
そして、モンキースパナ３０を矢印Ｃ方向に回動させると、上記本体１１が同様に矢印Ｃ方向に回動する。その際、本体１１の回動方向にて安定部材１２が丸ナット２０の外周面に当接しているので、本体１１は、丸ナット２０の外周面に対してずれることなく、その引掛爪１１ａが丸ナット２０の引掛溝２１内に確実に係合する。従って、本体１１の回動に伴って、丸ナット２０が確実に矢印Ｃ方向に回転し、丸ナット２０が緩められることになる。
【００２７】
ここで、丸ナット２０の外径が比較的小さい場合には、図９に示すように、安定部材１２を本体１１の中央寄りに摺動させることにより、その傾斜面１２ｂ１が丸ナット２０の外周面に確実に当接する。
これに対して、丸ナット２０の外径が比較的大きい場合には、図１０に示すように、安定部材１２を本体１１の一端側に摺動させることにより、その傾斜面１２ｂ１が丸ナット２０の外周面に確実に当接する。
このようにして、一種類のアダプタ１０を用意しておくことにより、種々の外径を有する丸ナット２０に対応して、それぞれ丸ナット２０の脱着を行なうことができる。
【００２８】
図１１及び図１２は、アダプタ１０の他の使用例を示している。
この場合、一つの丸ナット２０の脱着を行なうために、二つのアダプタ１０を使用している。即ち、通常の右ネジを有する丸ナットを締め付ける場合、図１１に示すように、まず丸ナット２０の互いに対向する反対側の二つの引掛溝２１内にそれぞれアダプタ１０の本体１１の引掛爪１１ａを係合させると共に、安定部材１２を本体１１の長手方向に摺動させ、その傾斜面１２ｂ１が、丸ナット２０の引掛溝２１から丸ナット２０を回動すべき方向にて、その外周面に当接するように調整し、アダプタ１０を丸ナット２０に対してセットする。
【００２９】
このセット状態から、図１２に示すように、モンキースパナ３０を使用して、その口開き量を調整し、双方のアダプタ１０の本体１１の他側の側面を挟持する。
そして、モンキースパナ３０を矢印Ｂ方向に回動させると、本体１１が同様に矢印Ｂ方向に回動する。従って、本体１１の回動に伴って、丸ナット２０が確実に矢印Ｂ方向に回転し、丸ナット２０が締め付けられることになる。しかも、その際、モンキースパナ３０の二つの挟持面は、それぞれアダプタ１０の本体の他側の側面に対向することによって、安定した状態で挟持することができる。
【００３０】
この場合、図１１に示すように、各アダプタ１０の本体１１の他側の側面に磁石１１ｄが埋め込まれていると、モンキースパナ３０でアダプタ１０の本体１１の他側の側面を挟持する際に、モンキースパナ３０の挟持面が上記磁石１１ｄにより吸着保持されるので、より安定した状態で、モンキースパナ３０にてアダプタ１０の本体１１を挟持することができる。
【００３１】
以上説明したが、本発明は、発明の趣旨を逸脱しない範囲において様々な形態で実施できる。例えば、上述した実施形態においては、本体１１が、その一端にストッパ１１ｃを備えているが、これに限らず、ストッパ１１ｃは省略されてもよい。
また、上述した実施形態においては、アダプタ１０をモンキースパナ３０で挟持して回動するようになっているが、これに限らず、他の工具、例えばプライヤー等を使用して、アダプタ１０を回動させるようにしてもよい。本出願で丸ナット用工具とは、丸ナットを回動させるための専用の工具を意味するものではなく、丸ナットの回動操作をし得る工具であれば他の用途に用い得る工具であっても含む。
【図面の簡単な説明】
【００３２】
【図１】本発明による丸ナット用工具のアダプタの一実施例の構成を示す斜視図である。
【図２】図１の丸ナット用工具のアダプタの（Ａ）背面図，（Ｂ）平面図及び（Ｃ）側面図である。
【図３】図１のアダプタの本体を示す平面図である。
【図４】図１のアダプタの安定部材を示すので、（Ａ）は側面図、（Ｂ）平面図である。
【図５】図１のアダプタの丸ナット締付け時のセット状態を示す概略斜視図である。
【図６】図５のセット状態からモンキースパナを使用して丸ナットの締付けを行なう状態を示す概略斜視図である。
【図７】図１に示すアダプタの丸ナットの緩め時のセット状態の概略斜視図である。
【図８】図７のセット状態からモンキースパナを使用して丸ナットの緩めを行なう状態を示す概略斜視図である。
【図９】図１のアダプタの比較的小さな外径の丸ナットへのセット状態を示す概略平面図である。
【図１０】図１のアダプタの比較的大きな外径の丸ナットへのセット状態を示す概略平面図である。
【図１１】図１のアダプタを二つ使用した丸ナット締付け時のセット状態を示す概略斜視図である。
【図１２】図１１のセット状態からモンキースパナを使用して丸ナットの締付けを行なう状態を示す概略斜視図である。
【図１３】従来の丸ナット脱着用Ｃスパナの使用状態を示す概略斜視図である。
【符号の説明】
【００３３】
１０    丸ナット用工具のアダプタ
１１    本体
１１ａ  引掛爪
１１ｂ  切欠部
１１ｃ  ストッパ
１１ｄ  磁石
１２    安定部材
１２ａ  脱落防止板
１２ｂ  凸部
１２ｂ１  傾斜面
２０    丸ナット
２１    引掛溝
３０    モンキースパナ
【図１】
2006224232.tif 000003
【図２】
2006224232.tif 000004
【図３】
2006224232.tif 000005
【図４】
2006224232.tif 000006
【図５】
2006224232.tif 000007
【図６】
2006224232.tif 000008
【図７】
2006224232.tif 000009
【図８】
2006224232.tif 000010
【図９】
2006224232.tif 000011
【図１０】
2006224232.tif 000012
【図１１】
2006224232.tif 000013
【図１２】
2006224232.tif 000014
【図１３】
2006224232.tif 000015